(57)【要約】【課題】磁気カードなどの情報記録媒体の読取／書込部を備え、情報記録媒体の情報を読み取り、情報の書込み出力が低いと判断した場合、その媒体は異常と判定していた。【解決手段】書き込み情報の出力が低い磁気カードを読み取った場合、当該取引は正常に行い、取引終了時に磁気カードに対して再書き込みを行うことで、磁気カードの出力低下を回復する。【選択図】  図１
2004318414.tif 000002
【特許請求の範囲】
【請求項１】
磁気カード等の情報記録媒体の読み取り／書き込みをを行う情報記録媒体読み書き部と利用者に操作案内をする操作部と、前記情報記録媒体読み書き部及び操作部の制御を行い、またセンターとの情報の通信を行う主制御部を備えた情報記録媒体取扱装置において、前記情報記録媒体読み書き部において、利用者が使用する情報記録媒体の磁気出力が一定以上低下していることを検知した際に、読み取った情報記録媒体の情報を、そのまま再度書き込みを行うことを特徴とする情報記録媒体取扱装置。
【請求項２】
情報記録媒体の磁気出力が一定以上低下していることを検知した際に、操作部へ情報記録媒体の出力が低下していることを表示し、利用者が操作部より出力の回復を許可することで、読み取った情報記録媒体の情報を、そのまま再度書き込みを行うことを特徴とする請求項１記載の情報記録媒体取扱装置。
【請求項３】
情報記録媒体の磁気出力が一定以上低下していることを検知した際に、主制御部へ情報記録媒体の出力が低下していることを通知し、センターから出力の回復を指示されることで、読み取った情報記録媒体の情報を、そのまま再度書き込みを行うことを特徴とする請求項１記載の情報記録媒体取扱装置。
【請求項４】
読み取った情報の記録媒体の情報を、そのまま再度書き込んだ後、出力の回復がされていることを判定し、出力が回復されている場合はそのまま利用者に返却し、出力が回復されていない場合は媒体の異常を利用者に通知することを特徴とする請求項１乃至３のいずれか記載の情報記録媒体取扱装置。
【発明の詳細な説明】
【０００１】
【発明の属する技術分野】
本発明は、例えば、金融機関等で使用される磁気カードに記録の情報に基づき現金の取引を行う現金自動取引装置等の情報記録媒体取扱装置に関する。
【０００２】
【従来の技術】
従来の現金自動取引装置では、例えば特開平７−２５４０３０号公報（特許文献１）に記載のように、操作者が操作案内表示に従い磁気カードを挿入口に入れ、キーボードもしくはタッチパネルにて暗証番号を入力し、本人であることを確認した後、現金の預け入れ、払い出し、振り込み等の取引を案内に従い、行っている。
【０００３】
磁気カードは比較的低い抗磁力のものが主流であり、外部からの磁界の影響により、磁気記録の一部または全部が消えてしまったり、出力が低くなっしまったりする場合がある。
【０００４】
特開平１１−１７５８１７号公報（特許文献２）では、磁気カードの情報の出力が低く、異常な状態の場合、その磁気カードが異常であることを操作者に通知している。
【０００５】
【特許文献１】
特開平７−２５４０３０号公報
【特許文献２】
特開平１１−１７５８１７号公報
【０００６】
【発明が解決しようとする課題】
上記従来技術の現金自動取引装置では、書込み情報の出力が低い、異常の磁気カードに対し、低出力設定の読取り機能を有する磁気カード読取／書込部を有している現金自動取引装置の場合は正常に取引可能であり、また磁気カードが異常であることを通知する手段を有している現金自動取引装置では、磁気カードが異常であることを操作者に通知することが可能である。しかしながら、磁気カードの情報は異常のままであるため、前述の低出力設定の読み取り機能を有していない現金自動取引装置にてその磁気カードを使用して取引を行おうとすると、磁気カードの情報を正確に読み取れないため取引が不可能であった。
【０００７】
【課題を解決するための手段】
本発明では、書き込み情報の出力が一定以上低いことを検知し、磁気媒体を読み取った場合、当該処理を正常に行い、かつその情報をいったん記憶する。処理が一通り終了した後、記憶しておいた情報を磁気媒体に書き込む。
【０００８】
【発明の実施の形態】
本発明の実施例の模式図を図１に、構成図を図２にそれぞれ示す。
【０００９】
現金自動取引装置１は、入力／表示部１０、主制御部１１、媒体読取／書込部１２、紙幣入出金部１３、明細票発行部１４、音声出力部１５を備える。現金自動取引装置１はセンター７と専用回線で接続されている。主制御部１１は現金自動取引装置１全体の制御を行い、センター７とデータの送受信を行う。入力／表示部１０は、操作パネル２上で操作者に暗証番号や取引金額の入力を行わせたり、操作案内などの表示を行ったりする。音声出力部１５は操作案内などのガイダンスを音声スピーカ６から流す。紙幣入出金部１３は、紙幣入出金口３から現金取引時の入金及び出金を行う。明細票発行部１４は、出金や残高などの明細情報を明細票発行口４から出力する。媒体読取／書込部１２は、磁気カード入出口５から挿入された磁気カードＡの書き込み情報の読み取り／書き込みを行い、磁気カードＡを磁気カード入出口５へ放出する。
【００１０】
次に図３のフローチャートに従い、図１の一実施例の動作を説明する。
【００１１】
ステップＳ１で、操作パネル２に表示される現金の預け入れ、払い出し、振り込み等の取引内容の１つを操作者が選択する。以下、操作者が払い出しを選択したこととして説明する。ステップＳ２で操作者が磁気カードＡを磁気カード入出口５に挿入する。ステップＳ３で磁気カードＡに書き込まれている情報を媒体読取／書込部１２にて読み取り、ステップＳ４で磁気カードＡの書き込み情報の出力が低いかどうか判断する。磁気カードＡの書き込み情報の出力が低いかどうかの判断は特開平１１−１７５８１７号公報に記載のように、例えば、書き込み部の制御回路が読み出し出力信号のピーク値が規定値の１０％未満に低下しているかどうかを判定し、もしそうであれば、読み出し出力信号のレベルが異常に低いと判断することで行なわれる。
【００１２】
磁気カードＡの書き込み情報の出力が低い場合は、ステップ５で主制御部１１において低出力のフラグを立て、書き込み情報を記憶する。次にステップＳ６にて操作パネル２上において操作者に暗証番号を入力させる。正しい暗証番号が入力されると、次にステップＳ７で払出し金額を入力し、ステップＳ８で、主制御部１１で処理、センター７とデータ送受信し、取引を行う。ステップＳ９においてステップＳ５にて低出力のフラグが立っているか判定し、フラグが立っていた場合、ステップＳ１０にて記憶しておいた磁気カードＡの書き込み情報を、媒体読取／書込部１２にて磁気カードＡに書き込む。次にステップ１１にて磁気カードＡを磁気カード放出口５から放出する。この際、明細票が明細票発行口４から発行、また、紙幣入出金口３から入力された払出し金額が出金される。
【００１３】
次に本発明の他の実施例について説明する。
図４は他の一実施例を示すフローチャートである。前述実施例とステップＳ９までは同じであり、ステップＳ９にて低出力のフラグが立っていた場合、ステップＳ１２において操作パネル２に「このカードのデータには異常が見られます。データを回復しますか。」などの表示を行う。操作者がステップ１３において操作パネル２からデータの書き込みを許可した場合、ステップＳ１０にて記憶しておいた磁気カードＡの書き込み情報を、媒体読取／書込部１２にて磁気カードＡに書き込む。ステップＳ１１は前述の通りである。
【００１４】
本実施例においては、操作者に使用している磁気カードが異常であることを通知できるとともに、従来の特開平１１−１７５８１７号公報の記載では窓口誘導を促し、窓口において再書き込み、もしくは再発行処理が行われていたのに対し、取引の延長上で磁気カードを回復させることが可能であり、操作者に回復処理を促すことで、窓口まで行かなくても磁気カードが回復するという利便性が生ずる。同時に操作者に対して、操作パネル２からの表示、または音声スピーカ６からのガイダンスなどにより、磁気カード保存時に磁化される媒体と磁気カードをいっしょにしないようにアナウンスすることも可能である。
【００１５】
図５は他の一実施例を示すフローチャートである。前述実施例とステップＳ９までは同じであり、ステップＳ９にて低出力のフラグが立っていた場合、ステップＳ１４においてセンター７にカードを再書き込みする通知を行う。センターよりステップ１５においてデータの書き込みが許可された場合、ステップＳ１０にて記憶しておいた磁気カードＡの書き込み情報を、媒体読取／書込部１２にて磁気カードＡに書き込む。ステップＳ１１は前述の通りである。
【００１６】
図６は他の一実施例を示すフローチャートである。本実施例は、前述した図３から図５の実施例のステップＳ１０にて、記憶しておいた磁気カードの書き込み情報を媒体読取／書込部１２にて磁気カードＡに書き込んだのち、再書き込みした情報が正常に回復されたかどうか判定するものである。
【００１７】
ここでは図３の実施例に対して適用した場合について説明する。ステップＳ１０までは前述の通りである。ステップＳ１４にて再書き込みした磁気カードＡの情報を再度読み取り、書き込み情報の出力が低いかどうか判断する。判断手段はステップＳ４と同じである。書き込み情報の出力が低い場合、磁気の損傷などの原因により再書き込みでの回復が不可能であることから、ステップＳ１６にて操作パネル２に「このカードのデータには異常が見られます。窓口にて再発行処理をお願いします。」などの表示、または音声スピーカ６から同様のガイダンスの通達を行う。その後のステップＳ１１は前述の通りである。
【００１８】
【発明の効果】
以上のように、  本発明では、書き込み情報の出力が低い磁気媒体を読み取った場合、当該取引を正常に行い、かつその情報をいったん記憶し、取引が一通り終了した後、記憶しておいた情報を磁気カードに書き込む事で、磁気媒体情報の出力低下を回復する。
【図面の簡単な説明】
【図１】本発明の実施例の模式図。
【図２】本発明の実施例の構成図。
【図３】本発明の実施例の動作を示すフローチャート。
【図４】本発明の実施例の動作を示すフローチャート。
【図５】本発明の実施例の動作を示すフローチャート。
【図６】本発明の実施例の動作を示すフローチャート。
【符号の説明】
１  現金自動取引装置、２  操作パネル、３  紙幣入出金口、４  明細票発行口、
５  磁気カード入出口、６  音声スピーカ、７  センター、１０  入力／表示部、１１  主制御部、１２  媒体読取り／書込み部、１３  紙幣入出金部、１４  明細票発行部、１５  音声出力部。
【図１】
2004318414.tif 000003
【図２】
2004318414.tif 000004
【図３】
2004318414.tif 000005
【図４】
2004318414.tif 000006
【図５】
2004318414.tif 000007
【図６】
2004318414.tif 000008